(57)【要約】【課題】  ネットワークにより放送できるマルチメディアシステムの提供。【解決手段】  プロセッサ、チップセット、メインメモリ、ネットワーク装置、音声コントローラ及びデジタル信号処理装置を具え、該プロセッサは嵌め込み式オペレーションシステムを実行し関係する制御を行ない、該チップセットは該プロセッサに接続されてバスを制御し、該メインメモリは該チップセットに接続されて該プロセッサのアクセスするデータを保存し、該ネットワーク装置は該バスに接続されてネットワークよりエンコードオーディオビデオデータストリームを受け取り、該音声コントローラは該バスに接続されて該プロセッサの伝送した音声信号を受け取り、該デジタル信号処理装置は該バスに接続されて該エンコードオーディオビデオデータストリームを受け取り、それをデコード後に表示装置に送り放送する。【選択図】        図２
2004254284.tif 000002
【特許請求の範囲】
【請求項１】
プロセッサ、チップセット、メインメモリ、ネットワーク装置、音声コントローラ及びデジタル信号処理装置を具え、該プロセッサは嵌め込み式オペレーションシステムを実行し関係する制御を行ない、該チップセットは該プロセッサに接続されてバスを制御し、該メインメモリは該チップセットに接続されて該プロセッサのアクセスするデータを保存し、該ネットワーク装置は該バスに接続されてネットワークよりエンコードオーディオビデオデータストリームを受け取り、該音声コントローラは該バスに接続されて該プロセッサの伝送した音声信号を受け取り、該デジタル信号処理装置は該バスに接続されて該エンコードオーディオビデオデータストリームを受け取り、それをデコード後に表示装置に送り放送させることを特徴とする、ネットワークにより放送できるマルチメディアシステム。
【請求項２】
請求項１記載のネットワークにより放送できるマルチメディアシステムにおいて、メインメモリがＶＧＡフレームバッファと第１ＹＵＶフレームバッファを具え、該ＶＧＡフレームバッファ及び該第１ＹＵＶフレームバッファがプロセッサの表示しようとする図形データを保存することを特徴とする、ネットワークにより放送できるマルチメディアシステム。
【請求項３】
請求項２記載のネットワークにより放送できるマルチメディアシステムにおいて、ＶＧＡフレームバッファに保存された図形データ形式がＶＧＡとされ、第１ＹＵＶフレームバッファに保存される図形データ形式がＹＵＶとされることを特徴とする、ネットワークにより放送できるマルチメディアシステム。
【請求項４】
請求項１記載のネットワークにより放送できるマルチメディアシステムにおいて、表示メモリを具え、該表示メモリはデジタル信号処理装置に接続されると共にビデオデータバッファと第２ＹＵＶフレームバッファを具え、該ビデオデータバッファがデジタル信号処理装置のデータを保存し、該第２ＹＵＶフレームバッファはメインメモリの第１ＹＵＶフレームバッファと同じ図形データを保存することを特徴とする、ネットワークにより放送できるマルチメディアシステム。
【請求項５】
請求項４記載のネットワークにより放送できるマルチメディアシステムにおいて、デジタル信号処理装置がビデオデータバッファと第２ＹＵＶフレームバッファのデータを重合させてフレームとなし、並びにテレビジョン信号エンコード装置に出力することを特徴とする、ネットワークにより放送できるマルチメディアシステム。
【請求項６】
請求項１記載のネットワークにより放送できるマルチメディアシステムにおいて、表示装置がテレビジョンとされたことを特徴とする、ネットワークにより放送できるマルチメディアシステム。
【請求項７】
請求項６記載のネットワークにより放送できるマルチメディアシステムにおいて、テレビジョン信号エンコード装置を具え、該テレビジョン信号エンコード装置はデジタル信号処理装置に接続されてデジタル信号処理装置の出力する信号をテレビジョン信号に変換することを特徴とする、ネットワークにより放送できるマルチメディアシステム。
【請求項８】
請求項７記載のネットワークにより放送できるマルチメディアシステムにおいて、デジタル信号処理装置の出力する信号がＣＣＩＲ６５６信号形式とされたことを特徴とする、ネットワークにより放送できるマルチメディアシステム。
【請求項９】
請求項３記載のネットワークにより放送できるマルチメディアシステムにおいて、音声コントローラの出力がリンクを介してデジタル信号処理装置に接続されることを特徴とする、ネットワークにより放送できるマルチメディアシステム。
【請求項１０】
請求項９記載のネットワークにより放送できるマルチメディアシステムにおいて、リンクがＡＣ９７リンクとされたことを特徴とする、ネットワークにより放送できるマルチメディアシステム。
【請求項１１】
請求項９記載のネットワークにより放送できるマルチメディアシステムにおいて、デジタル信号処理装置がエンコードオーディオビデオデータストリームの音声信号とＡＣ９７リンクと接続された音声信号をミキシング後に出力することを特徴とする、ネットワークにより放送できるマルチメディアシステム。
【請求項１２】
請求項９記載のネットワークにより放送できるマルチメディアシステムにおいて、オーディオエンコードデコード装置を具え、該オーディオエンコードデコード装置がデジタル信号処理装置の音声出力に接続されて、デジタル音声を立体音声に変換して出力することを特徴とする、ネットワークにより放送できるマルチメディアシステム。
【請求項１３】
請求項１記載のネットワークにより放送できるマルチメディアシステムにおいて、保存装置を具え、該保存装置はバスに接続されてネットワーク装置を介してオーディオビデオデータストリームをダウンロードすることを特徴とする、ネットワークにより放送できるマルチメディアシステム。
【請求項１４】
請求項１３記載のネットワークにより放送できるマルチメディアシステムにおいて、保存装置がハードディスク又は非揮発性メモリとされたことを特徴とする、ネットワークにより放送できるマルチメディアシステム。
【発明の詳細な説明】
【技術分野】
【０００１】
本発明はオーディオビデオマルチメディアシステムの技術領域に係り、特に、ネットワークにより放送できるマルチメディアシステムに関する。
【背景技術】
【０００２】
デジタルテレビブロードキャスト技術の発展に伴い、番組チャンネルがメインのテレビジョンブロードキャストは多元化情報社会の要求を満足させられなくなった。このため娯楽、音声、データ、ビデオ信号通信とマルチメディア情報を整合させたテレビジョンブロードキャストネットワークの発展が必然となった。デジタルテレビブロードキャスト信号及びインタラクティブテレビジョンと各種のネットワークの情報を受け取るためには、新たな設備により家中のテレビジョンをこの整合されたテレビジョンネットワークと接続させて、デジタルテレビブロードキャスト信号を受信できる能力を具備させると共に、交換、グレードアップが容易で価格がリーズナブルな特性を具備するセットトップボックスを介することが必要であり、セットトップボックスはこの整合されたテレビジョンネットワーク中でその優勢を発揮している。
【０００３】
図１は一般のセットトップボックスの電気回路ブロック図であり、それは、プロセッサ１１０、ノースブリッジチップセット１２０、メインメモリ１３０、ネットワーク装置１４０、音声コントローラ１５０（Ｓｏｕｎｄ  Ｃｏｎｔｒｏｌｌｅｒ）、ＭＰＥＧ４デコード装置１６０、オーディオエンコードデコード装置１８０（Ａｕｄｉｏ  ＣＯＤＥＣ）、ＡＣ９７エンコードデコード装置１９０（ＡＣ９７  ＣＯＤＥＣ）、ＶＧＡ及びテレビジョン信号エンコード装置１７０、及び表示メモリ１６１を具えている。そのうち、ノースブリッジチップセット１２０、ネットワーク装置１４０、音声コントローラ１５０、ＭＰＥＧ４デコード装置１６０及びＶＧＡ及びテレビジョン信号エンコード装置１７０はＰＣＩバスに接続され、該ネットワーク装置１４０はイーサネット（登録商標）チップとされてローカルエリアネットワークに接続されさらにインターネットに接続されるか、ＡＤＳＬ或いはケーブルモデムを介してインターネットサービスプロバイダ（ＩＳＰ）に接続され更にインターネットに接続され、該表示メモリ１６１はＭＰＥＧ４デコード装置１６０のデコード時のデコードデータ暫時保存に供される。
【０００４】
該プロセッサ１１０はブラウザがオーディオビデオデータストリームプロバイダにあってブラウジングして観賞する映画を実行し、該プロセッサ１１０が実行するブラウザでブラウジングするグラフィックデータはネットワーク装置１４０よりダウンロードされてメインメモリ１３０に暫時保存され、並びにＰＣＩバスよりＶＧＡ及びテレビジョン信号エンコード装置１７０に送られ、使用者がある映画を観賞したい時は、ネットワーク装置１４０よりダウンロードし、このダウンロードされたオーディオビデオデータストリームは該ＰＣＩバスを介してＭＰＥＧ４デコード装置１６０に送られてオーディオビデオデコードがなされ、デコードされたグラフィックデータストリームのフォーマットはＣＣＩＲ６５６とされ、並びにＶＧＡ及びテレビジョン信号エンコード装置１７０に送られ、該グラフィックデータ及びデコードされたグラフィックデータストリームはＶＧＡ及びテレビジョン信号エンコード装置１７０で重合されて一つのフレームとされ、並びに該ＶＧＡ及びテレビジョン信号エンコード装置１７０でエンコードされてテレビジョン信号とされてテレビジョンに送られ放送される。該グラフィックデータの解析度はデコードされたグラフィックデータストリームより高く、前述の重合の時は、先にこのデコードされたグラフィックデータストリームにアップコンバート（Ｕｐ−ｃｏｎｖｅｒｔｉｎｇ）を行なった後に、該グラフィックデータとの重合を行ない、重合後の画像を更にダウンコンバートしてテレビジョンの解析度となす。こうしてデコードされたグラフィックデータストリームをアップコンバート及びダウンコンバートした後に発生する誤差は累加され、このためにグラフィックデータストリームの画像品質に影響が生じる。
【０００５】
このプロセッサ１１０がブラウザのブラウズする音声データをネットワーク装置１４０よりダウンロードしてメインメモリ１３０に暫時保存させ、並びにＰＣＩバスを介して音声コントローラ１５０に送り処理させる。処理後の音声信号はＡＣ９７リンクを介してＡＣ９７エンコードデコード装置１９０に送られ、ダウンロードされたオーディオビデオデータストリームはＭＰＥＧ４デコード装置１６０でオーディオビデオデコードされ、デコードされた音声データストリームの形式はデジタルのＩ２Ｓとされ、オーディオエンコードデコード装置１８０でアナログの立体音声信号に変換され、このアナログの立体音声信号とＡＣ９７リンクの音声信号が該ＡＣ９７エンコードデコード装置１９０中でミキシングされた後に変換されて立体音声信号とされて、スピーカに出力され放送される。この音声データストリームはデジタル信号をアナログ信号に変換した後に更にミキシングしたものであるため、そのサウンド品質に影響が生じる。
【０００６】
また、該ＭＰＥＧ４デコード装置１６０はＭＰＥＧ４のオーディオビデオデータストリームに対してのみデコードを行ない、その他の例えばＭＰＥＧ２のオーディオビデオデータストリームに対しては、該ＭＰＥＧ４デコード装置１６０を更新しなければオーディオビデオデコードが行なえない。このため周知のセットトップボックスの設計は多くの欠点があり、改善の必要があった。
【発明の開示】
【発明が解決しようとする課題】
【０００７】
本発明の主要な目的は、ネットワークにより放送できるマルチメディアシステムを提供し、周知のセットトップボックスの表示のビデオ信号品質不良の欠点を防止できるようにすることにある。
【課題を解決するための手段】
【０００８】
請求項１の発明は、プロセッサ、チップセット、メインメモリ、ネットワーク装置、音声コントローラ及びデジタル信号処理装置を具え、該プロセッサは嵌め込み式オペレーションシステムを実行し関係する制御を行ない、該チップセットは該プロセッサに接続されてバスを制御し、該メインメモリは該チップセットに接続されて該プロセッサのアクセスするデータを保存し、該ネットワーク装置は該バスに接続されてネットワークよりエンコードオーディオビデオデータストリームを受け取り、該音声コントローラは該バスに接続されて該プロセッサの伝送した音声信号を受け取り、該デジタル信号処理装置は該バスに接続されて該エンコードオーディオビデオデータストリームを受け取り、それをデコード後に表示装置に送り放送させることを特徴とする、ネットワークにより放送できるマルチメディアシステムとしている。
請求項２の発明は、請求項１記載のネットワークにより放送できるマルチメディアシステムにおいて、メインメモリがＶＧＡフレームバッファと第１ＹＵＶフレームバッファを具え、該ＶＧＡフレームバッファ及び該第１ＹＵＶフレームバッファがプロセッサの表示しようとする図形データを保存することを特徴とする、ネットワークにより放送できるマルチメディアシステムとしている。
請求項３の発明は、請求項２記載のネットワークにより放送できるマルチメディアシステムにおいて、ＶＧＡフレームバッファに保存された図形データ形式がＶＧＡとされ、第１ＹＵＶフレームバッファに保存される図形データ形式がＹＵＶとされることを特徴とする、ネットワークにより放送できるマルチメディアシステムとしている。
請求項４の発明は、請求項１記載のネットワークにより放送できるマルチメディアシステムにおいて、表示メモリを具え、該表示メモリはデジタル信号処理装置に接続されると共にビデオデータバッファと第２ＹＵＶフレームバッファを具え、該ビデオデータバッファがデジタル信号処理装置のデータを保存し、該第２ＹＵＶフレームバッファはメインメモリの第１ＹＵＶフレームバッファと同じ図形データを保存することを特徴とする、ネットワークにより放送できるマルチメディアシステムとしている。
請求項５の発明は、請求項４記載のネットワークにより放送できるマルチメディアシステムにおいて、デジタル信号処理装置がビデオデータバッファと第２ＹＵＶフレームバッファのデータを重合させてフレームとなし、並びにテレビジョン信号エンコード装置に出力することを特徴とする、ネットワークにより放送できるマルチメディアシステムとしている。
請求項６の発明は、請求項１記載のネットワークにより放送できるマルチメディアシステムにおいて、表示装置がテレビジョンとされたことを特徴とする、ネットワークにより放送できるマルチメディアシステムとしている。
請求項７の発明は、請求項６記載のネットワークにより放送できるマルチメディアシステムにおいて、テレビジョン信号エンコード装置を具え、該テレビジョン信号エンコード装置はデジタル信号処理装置に接続されてデジタル信号処理装置の出力する信号をテレビジョン信号に変換することを特徴とする、ネットワークにより放送できるマルチメディアシステムとしている。
請求項８の発明は、請求項７記載のネットワークにより放送できるマルチメディアシステムにおいて、デジタル信号処理装置の出力する信号がＣＣＩＲ６５６信号形式とされたことを特徴とする、ネットワークにより放送できるマルチメディアシステムとしている。
請求項９の発明は、請求項３記載のネットワークにより放送できるマルチメディアシステムにおいて、音声コントローラの出力がリンクを介してデジタル信号処理装置に接続されることを特徴とする、ネットワークにより放送できるマルチメディアシステムとしている。
請求項１０の発明は、請求項９記載のネットワークにより放送できるマルチメディアシステムにおいて、リンクがＡＣ９７リンクとされたことを特徴とする、ネットワークにより放送できるマルチメディアシステムとしている。
請求項１１の発明は、請求項９記載のネットワークにより放送できるマルチメディアシステムにおいて、デジタル信号処理装置がエンコードオーディオビデオデータストリームの音声信号とＡＣ９７リンクと接続された音声信号をミキシング後に出力することを特徴とする、ネットワークにより放送できるマルチメディアシステムとしている。
請求項１２の発明は、請求項９記載のネットワークにより放送できるマルチメディアシステムにおいて、オーディオエンコードデコード装置を具え、該オーディオエンコードデコード装置がデジタル信号処理装置の音声出力に接続されて、デジタル音声を立体音声に変換して出力することを特徴とする、ネットワークにより放送できるマルチメディアシステムとしている。
請求項１３の発明は、請求項１記載のネットワークにより放送できるマルチメディアシステムにおいて、保存装置を具え、該保存装置はバスに接続されてネットワーク装置を介してオーディオビデオデータストリームをダウンロードすることを特徴とする、ネットワークにより放送できるマルチメディアシステムとしている。
請求項１４の発明は、請求項１３記載のネットワークにより放送できるマルチメディアシステムにおいて、保存装置がハードディスク又は非揮発性メモリとされたことを特徴とする、ネットワークにより放送できるマルチメディアシステムとしている。
【発明の効果】
【０００９】
本発明のネットワークにより放送できるマルチメディアシステムは、周知のセットトップボックス中のエンコードオーディオビデオデータストリームがアップコンバート及びダウンコンバート後に発生する画像品質不良の欠点を防止する。
【発明を実施するための最良の形態】
【００１０】
本発明によると、ネットワークにより放送できるマルチメディアシステムは、プロセッサ、チップセット、メインメモリ、ネットワーク装置、音声コントローラ及びデジタル信号処理装置を具え、該プロセッサは嵌め込み式オペレーションシステムを実行し関係する制御を行ない、該チップセットは該プロセッサに接続されてバスを制御し、該メインメモリは該チップセットに接続されて該プロセッサのアクセスするデータを保存し、該ネットワーク装置は該バスに接続されてネットワークよりエンコードオーディオビデオデータストリームを受け取り、該音声コントローラは該バスに接続されて該プロセッサの伝送した音声信号を受け取り、該デジタル信号処理装置は該バスに接続されて該エンコードオーディオビデオデータストリームを受け取り、それをデコード後に表示装置に送り放送する。
【実施例１】
【００１１】
情報家電製品のビデオ信号マルチメディアの応用は、通常、嵌め込み式のオペレーションシステムを使用し、テレビジョンは表示の末端設備とされる。選択による視聴は本発明の一つの応用であり、画像処理装置により選択項目を表示し、クリックによる映画の選択の後、ビデオ信号マルチメディアシステムがネットワークを透過してオーディオビデオサーバーに対してオーディオビデオデータストリームを要求し、デジタル信号処理装置がデコードした後に、テレビジョンに出力し表示する。
【００１２】
図２に示される本発明のビデオ信号マルチメディアシステムは、伝統的なパーソナルコンピュータ中の画像処理装置とＡＣ９７サウンドデコーダを取り除き、デジタル信号処理装置（これが本発明の核心である）をその代わりに採用している。該デジタル信号処理装置の画像処理装置をシュミレートする機能は、メインシステム側のＶＧＡフレームバッファをＹＵＶフレームバッファに変換してデジタル信号処理装置の記憶領域に置き、デジタル信号処理装置がＹＵＶフレームバッファ内のデータを更新する時に予め処理できるようにする。テレビジョンの標準の解析度に基づいて圧縮と解凍後のビデオ信号ストリームを、ＣＨＲＯＭＡ  ＫＥＹの方式で、画像とビデオ信号を合成し、並びにＡｌｐｈａ  Ｂｌｅｎｄｉｎｇの技巧を使用し、透明の効果を発生し、最後にちらつき防止処理を行なった後に、ビデオ信号をテレビジョンのエンコード方式によりテレビジョンに出力し表示する。
【００１３】
図２に示されるように、本発明のネットワークにより放送できるマルチメディアシステムは、プロセッサ２１０、ノースブリッジチップセット２２０、メインメモリ２３０、ネットワーク装置２４０、音声コントローラ２５０及びデジタル信号処理装置２６０、オーディオエンコードデコード装置２７０（Ａｕｄｉｏ  ＣＯＤＥＣ）、表示メモリ２９０、及びテレビジョン信号エンコード装置２８０を具えている。そのうち、該プロセッサ２１０は嵌め込み式オペレーションシステムを実行し関係する制御を行ない、該ノースブリッジチップセット２２０は該プロセッサ２１０に接続されてＰＣＩバスを制御し、該メインメモリ２３０は該ノースブリッジチップセット２１０に接続されて該プロセッサ２１０のアクセスするデータを保存する。
【００１４】
該ネットワーク装置２４０は該ＰＣＩバスに接続され、該ネットワーク装置２４０はイーサネット（登録商標）チップとされ得て、ローカルエリアネットワークに接続されてから更にインターネットに接続されるか、ＡＤＳＬ或いはケーブルモデムを介してインターネットサービスプロバイダ（ＩＳＰ）に接続され更にインターネットに接続され、並びにインターネットよりエンコードオーディオビデオデータストリームを受信する。
【００１５】
該表示メモリ２９０はデジタル信号処理装置２６０のデコード時のデコードデータの暫時保存に供される。該音声コントローラ２５０は該ＰＣＩバスに接続されて該プロセッサ２１０より送られた音声信号を受け取り、該デジタル信号処理装置２６０は該ＰＣＩバスに接続されてこのエンコードオーディオビデオデータストリームを受け取り、並びにそれをデコードした後にテレビジョン信号エンコード装置２８０に送り、テレビジョン信号エンコード装置２８０がそれをテレビジョン信号に変換してテレビジョンに送り放送する。
【００１６】
該デジタル信号処理装置２６０は超長命令語（Ｖｅｒｙ  Ｌｏｎｇ  Ｉｎｓｔｒｕｃｔｉｏｎ  Ｗｏｒｄ；ＶＬＩＷ）構造のデジタル信号処理器とされうる。グラフィックデータは通常線形アドレス配列とされ、それはイメージブロックコピーのような命令操作の処理を簡易化し、並びにアプリケーションプログラム中より高度並行の命令データを取り出す。このような機器命令はいずれもチップ中の多くの実行ユニットに分配され、非常に多くの実行ユニットがネットワーク上に配設され、各クロック周期内に多くの命令を実行でき、ゆえにオーディオビデオデータストリームのデコードに極めて適合し、ただソフトウエアにより関係レジスタの設定を更新すれば、異なる形式のオーディオビデオデータストリームに対してもデコードが行なえ、ゆえに周知の技術の特定の形式に対してしかデコードが行なえない欠点を解決する。
【００１７】
図３に示されるように、ＣＰＵ及びデジタル信号処理装置の内蔵画像共同プロセッサが結合され、並びに適当にその計算負担を二つのユニットに分散してデジタル信号処理装置に画像圧縮と解凍の機能を負担させることを実現させている。図３に示されるように、メインメモリ２３０はプロセッサ２１０のアクセスするデータを保存するほか、更にＶＧＡフレームバッファ２３１と第１ＹＵＶフレームバッファ２３２を具えている。該ＶＧＡフレームバッファ２３１及び第１ＹＵＶフレームバッファ２３２は該プロセッサ２１０の表示したい図形データを保存する。そのうち、該プロセッサ２１０がホームページをブラウズする時、その表示したいホームページの画像データは暫時該ＶＧＡフレームバッファ２３１内に保存されて、表示装置に送られる。該ＶＧＡフレームバッファ２３１の図形データ形式はＶＧＡ形式とされる。該第１ＹＵＶフレームバッファ２３２の図形データ形式はＹＵＶ形式とされ、該プロセッサ２１０が該ＶＧＡフレームバッファ２３１のＶＧＡ画像データ形式をＹＵＶ画像データ形式に変換し並びに該第１ＹＵＶフレームバッファ２３２内に保存する。
【００１８】
図３に示されるように、該デジタル信号処理装置２６０は画像共同プロセッサ２６１（Ｉｍａｇｅ  ＣｏＰｒｏｃｅｓｓｏｒ；ＩＣＰ）及びデジタル信号処理コア２６２を具えている。該画像共同プロセッサ２６１はハードウエア回路とマイクロプログラムコントロールユニットを結合させて拡大／縮小（Ｓｃａｌｉｎｇ）、フィルタリング及びアルファブレンディング（Ａｌｐｈａ  Ｂｌｅｎｄｉｎｇ）を行ない、該デジタル信号処理コア２６２はダウンロードされたオーディオビデオデータストリームをデコードする。
【００１９】
該表示メモリ２９０はビデオデータバッファ２９１と第２ＹＵＶフレームバッファ２９２を具え、該ビデオデータバッファ２９１はデジタル信号処理コア２６２のデコード時に暫時デコードデータを保存し、該画像共同プロセッサ２６１はＰＣＩバスを介してメインメモリ２３０の第１ＹＵＶフレームバッファ２３２内のイメージデータにアクセスし、並びにそれをＶＧＡ解析度より縮小して一般のテレビジョンの解析度となし、更に第２ＹＵＶフレームバッファ２９２内に保存する。
【００２０】
該画像共同プロセッサ２６１はビデオデータバッファ２９１及び第２ＹＵＶフレームバッファ２９２のデータに対してアルファブレンディングを行ない一つのフレームとなし、並びにＣＣＩＲ６５６信号形式でテレビジョン信号エンコード装置２８０に送り、テレビジョン信号エンコード装置２８０が該デジタル信号処理装置２６０の出力する信号をテレビジョン信号に変換する。
【００２１】
該プロセッサ２１０がホームページをブラウズする時の音声データ或いはシステムの関係音声は音声コントローラ２５０により処理され、デコード音声データストリームの音声信号は、デジタル信号処理装置２６０が処理を行なう。図４に示されるように、音声コントローラ２５０の出力は、ＡＣ９７リンクによりデジタル信号処理装置２６０に接続され、該デジタル信号処理装置２６０がデコードオーディオビデオデータストリームからの音声信号を該ＡＣ９７リンクに接続された音声信号とミキシングした後に出力する。その形式はＩ２Ｓとされる。また、該デジタル信号処理装置２６０の音声出力に接続されたオーディオエンコードデコード装置２７０によりＩ２Ｓデジタル音声を立体音声に変換して出力する。
【００２２】
本発明のネットワークにより放送できるマルチメディアシステムは、保存装置３００を更に具えている。使用者がオーディオビデオデータストリームをリアルタイムで観賞できない時、ダウンロードしたオーディオビデオデータストリームをこの保存装置３００に保存しておき、使用者の時間が空いた時に、保存装置３００よりデジタル信号処理装置２６０を介して該オーディオビデオデータストリームを放送することができる。そのうち、保存装置３００はハードディスク或いは非揮発性メモリとされうる。
【００２３】
以上はデジタル信号処理装置がＡＣ９７サウンドデコーダをシュミレートする方法であるが、本発明は図形処理装置、オーディオビデオデコード装置とＡＣ９７サウンドデコーダを一つに整合している。その長所は、オーディオビデオデータストリーム中の音声信号を先にデジタル信号からアナログ信号に変換し、さらにシステムの音声とミキシングすることにより、異なる音源チャンネルの間の相互のクロストークを防止し、直接デジタル信号処理装置内でＡＣ９７サウンドデコーダをシュミレートすることで、オーディオビデオデータストリームとシステム音源に対して、デジタルデータ形式の時にシステムの設定によりミキシングの方式を調整し、これにより高品質のサウンドを提供し、並びに低パワーとコストを減らすことにある。このデジタル信号処理装置２６０の使用により、周知のセットトップボックス中の画像データをアップコンバートとダウンコンバートすることで発生する画像品質不良の欠点を防止でき、また音声データストリームをデジタル信号からアナログ信号に変換して更にミキシングすることによる音声品質不良の問題を解決し、また、異なる形式のオーディオビデオデータストリームに対してデコードできるようにしている。
【００２４】
総合すると、本発明は目的、手段、機能のいずれにおいても周知の技術の特徴とは異なっており、極めて実用価値を具えた発明である。なお、本発明に基づきなしうる細部の修飾或いは改変は、いずれも本発明の請求範囲に属するものとする。
【図面の簡単な説明】
【００２５】
【図１】周知のセットトップボックスのシステム構造図である。
【図２】本発明のネットワークにより放送できるマルチメディアシステムのシステム構造図である。
【図３】本発明の図形データと画像データストリーム重合の表示図である。
【図４】本発明の音声コントローラとデジタル信号処理装置の間の電気回路図である。
【符号の説明】
【００２６】
１１０  プロセッサ
１２０  ノースブリッジチップセット
１３０  メインメモリ
１４０  ネットワーク装置
１５０  音声コントローラ
１６０  ＭＰＥＧ４デコード装置
１６１  表示メモリ
１７０  ＶＧＡ及びテレビジョン信号エンコード装置
１８０  オーディオエンコードデコード装置
１９０  ＡＣ９７エンコードデコード装置
２１０  プロセッサ
２２０  ノースブリッジチップセット
２３０  メインメモリ
２３１  ＶＧＡフレームバッファ
２３２  第１ＹＵＶフレームバッファ
２４０  ネットワーク装置
２５０  音声コントローラ
２６０  デジタル信号処理装置
２６１  画像共同プロセッサ
２６２  デジタル信号処理コア
２７０  オーディオエンコードデコード装置
２８０  テレビジョン信号エンコード装置
２９０  表示メモリ
２９１  ビデオデータバッファ
２９２  第２ＹＵＶフレームバッファ
３００  保存装置
【図１】
2004254284.tif 000003
【図２】
2004254284.tif 000004
【図３】
2004254284.tif 000005
【図４】
2004254284.tif 000006